【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
一つ以上の層を有する浮島であって、少なくとも一つの前記層が透水性不織メッシュ材料と浮力瘤からなり、前記浮力瘤をメッシュ材料内に形成した浮島。
【請求項２】
浮力瘤が、独立気泡高分子発泡体からなる請求項１記載の浮島。
【請求項３】
浮力瘤が、ポリスチレンからなる請求項１記載の浮島。
【請求項４】
不織メッシュ材料の一つ以上の層を有する浮島であって、前記層を接着剤によって結合した浮島。
【請求項５】
接着剤が、ホットメルト接着剤を有する請求項４記載の浮島。
【請求項６】
接着剤が、ポリウレタン発泡体を有する請求項４記載の浮島。
【請求項７】
接着剤が、大豆ベース発泡体を有する請求項４記載の浮島。
【請求項８】
不織メッシュ材料の屑片、浮力瘤、および外側カバーを有する浮島。
【請求項９】
加熱可能な型枠内に不織メッシュ材料の屑片の束を配置し、不織メッシュ材料の融点まで型枠を加熱し、束の外側の繊維を軟化および溶解可能にすることによって、外側カバーを製造した請求項８記載の浮島。
【請求項１０】
溶媒を用いて、不織メッシュ材料の屑片の束の外側繊維を軟化および溶解することによって、外側カバーを製造した請求項８記載の浮島。
【請求項１１】
溶媒が、リン酸ジオクチルである請求項１０記載の浮島。
【請求項１２】
外側カバーが、ナイロンネットからなる請求項８記載の浮島。
【請求項１３】
比較的密に詰め込んだ不織メッシュの上側領域と、比較的緩く詰め込んだ不織メッシュの下側領域を有する浮島。
【請求項１４】
植物の根の成長および耐久性に対して最適化するように、不織メッシュの上側領域の密度を選択した請求項１３記載の浮島。
【請求項１５】
メッシュ繊維の間に開口部を提供し、小さな餌魚に安全および給餌生息地を提供するように不織メッシュの下側領域の密度を選択した請求項１３記載の浮島。
【請求項１６】
不織メッシュ材料の一つ以上の層を有し、さらに層の組み立て中に内部に設置した浮きを有する浮島。
【請求項１７】
浮きが、硬化プラスチックからなる請求項１６記載の浮島。
【請求項１８】
浮きが、発泡体の漁網用浮きからなる請求項１６記載の浮島。
【請求項１９】
透水性不織メッシュ材料および膨張発泡体の一つ以上の層を有する浮島。
【請求項２０】
透水性不織メッシュ材料の一つ以上の層と、一つ以上の浮力ブロックを有する浮島。
【請求項２１】
毛細管と吸収性上部カバーを有する浮島。
【請求項２２】
吸い上げユニットと吸収性上部カバーを有する浮島。
【請求項２３】
吸い上げユニットが、繊維からなる請求項２２記載の浮島。
【請求項２４】
吸収性上部カバーに種子を植えた請求項２１又は２２記載の浮島。
【請求項２５】
吸収性上部カバーを種子と接着剤の混合物で被覆した請求項２１又は２２記載の浮島。
【請求項２６】
種子と接着剤の混合物に栄養分を加えた請求項２５記載の浮島。
【請求項２７】
不織メッシュ材料の少なくとも一つの層、補助浮遊ユニットおよび踏みパッドを有する浮島。
【請求項２８】
さらに、浮力瘤を有する請求項２８記載の浮島。
【請求項２９】
補助浮遊ユニットが、ポリウレタン発泡シール剤からなる請求項２８記載の浮島。
【請求項３０】
補助浮遊ユニットが、独立気泡高分子発泡体からなる請求項２８記載の浮島。
【請求項３１】
踏みパッドが、屋外用敷物材からなる請求項２８記載の浮島。
【請求項３２】
踏みパッドが、成形ガラス繊維から形成した合成石からなる請求項２８記載の浮島。
【請求項３３】
さらに、一つ以上の人工踏み石を有する請求項２８記載の浮島。
【請求項３４】
さらに、一つ以上の独立気泡発泡ブロックを有する請求項２８記載の浮島。
【請求項３５】
さらに、一つ以上の独立気泡発泡シリンダ請求項２８記載の浮島。
【請求項３６】
不織メッシュ材料の少なくとも一つの層と、一つ以上の負荷分散部材を有する浮島。
【請求項３７】
負荷分散部材が、パイプからなる請求項３６記載の浮島。
【請求項３８】
負荷分散部材が、ホースからなる請求項３６記載の浮島。
【請求項３９】
負荷分散部材が、アルミニウムチャネルからなる請求項３６記載の浮島。
【請求項４０】
負荷分散部材が、金属発泡体からなる請求項３６記載の浮島。
【請求項４１】
負荷分散部材が、アモルファス金属発泡体からなる請求項３６記載の浮島。
【請求項４２】
各負荷分散部材の直径が約１〜１８インチの範囲内であり、各負荷分散部材の壁厚が約１／１６〜１インチの範囲内であり、各負荷分散部材の有効曲げ弾性率が約５，０００〜５００，０００ｐｓｉの範囲内である請求項３６記載の浮島。
【請求項４３】
踏み石浮遊組み立て品を有する浮島であって、前記踏み石浮遊組み立て品が少なくとも二つの人工踏み石と接続ケーブルユニットを有する浮島。
【請求項４４】
接続ケーブルユニットがプラスチックロープからなる請求項４３記載の浮島。
【請求項４５】
接続ケーブルユニットが、防錆金属ケーブルからなる請求項４３記載の浮島。
【請求項４６】
踏み石／垂直浮力部材浮遊組み立て品を有する浮島であって、前記踏み石／垂直浮力部材浮遊組み立て品が人工踏み石と垂直に設置した浮力部材を有する浮島。
【請求項４７】
浮力部材が、空気充填プラスチックパイプからなる請求項４６記載の浮島。
【請求項４８】
浮力部材が、独立気泡発泡体充填プラスチックパイプからなる請求項４６記載の浮島。
【請求項４９】
剛性枠組みを有する浮島であって、前記剛性枠組みが一つ以上の水平部材を有する浮島。
【請求項５０】
水平部材に空気を充填した請求項４９記載の浮島。
【請求項５１】
水平部材に発泡体を充填した請求項４９記載の浮島。
【請求項５２】
さらに、不織メッシュ材料の少なくとも一つの層とメッシュ材料を剛性枠組みに保持する固定ストラップを有する請求項４９記載の浮島。
【請求項５３】
組み立て式浮遊管と交差部材の浮力調整型枠組みを有する浮島。
【請求項５４】
各浮遊管が、保護パイプ、膨張可能なチューブ、空気管、および空気制御バルブを有する請求項５３記載の浮島。
【請求項５５】
各交差部材が、ストラップ、複数のパイプ位置決め器具、および複数の島本体接続支柱を有する請求項５３記載の浮島。
【請求項５６】
ストラップが、亜鉛メッキ鋼チャネルからなる請求項５５記載の浮島。
【請求項５７】
ストラップが、アルミニウム配管からなる請求項５５記載の浮島。
【請求項５８】
ストラップが、剛性プラスチック配管からなる請求項５５記載の浮島。
【請求項５９】
パイプ位置決め器具をストラップに二つ一組で取り付け、前記パイプ位置決め器具をパイプの両側に配置した請求項５５記載の浮島。
【請求項６０】
交差部材を浮遊管上に配置し、島本体に平坦なベースを提供した請求項５３記載の浮島。
【請求項６１】
各交差部材がストラップと複数の島本体接続支柱を有し、前記ストラップを浮遊管の周りに湾曲させて、それらをその場所に保持した請求項５３記載の浮島。
【請求項６２】
一つ以上の単一接続点浮遊ユニットを有する浮島であって、前記浮遊ユニットが各々有棘接続スパイクと浮きを有する浮島。
【請求項６３】
有棘接続スパイクが、防蝕性金属からなる請求項６２記載の浮島。
【請求項６４】
有棘接続スパイクが、剛性プラスチックからなる請求項６２記載の浮島。
【請求項６５】
浮きが、浮力性および耐久性材料からなる請求項６２記載の浮島。
【請求項６６】
浮き内の穴に、有棘接続スパイクを配置した請求項６２記載の浮島。
【請求項６７】
浮遊ユニット、浮力機能、および浮遊ユニットを浮力機能に取り付ける手段を有する浮島。
【請求項６８】
浮遊ユニットを浮力機能に取り付ける手段が、保持ピンである請求項６７記載の浮島。
【請求項６９】
骨組み、床、浮力導入部、土成長媒体、土ベース植物および基材ベース植物を有する浮島であって、前記骨組みと床が多孔質基材からなり、多孔質基材からなる島の一部で前記基材ベース植物を成長させた浮島。
【請求項７０】
さらに、少なくとも一つの分割部を有し、前記分割部が多孔質基材からなる請求項６９記載の浮島。
【請求項７１】
多孔質基材が、不織メッシュ材料である請求項６９記載の浮島。
【請求項７２】
不織メッシュ材料からなる島の一部で、基材ベース植物を成長させた請求項６９記載の浮島。
【請求項７３】
土成長媒体が、天然有機材料と合成有機材料を有する請求項６９記載の浮島。
【請求項７４】
合成有機材料が、不織ポリエステル基材の屑片である請求項７３記載の浮島。
【請求項７５】
さらに、接合成長媒体を有し、前記接合成長媒体が泥炭繊維とバインダを有する請求項６９記載の浮島。
【請求項７６】
骨組み、床またはその両方に接合成長媒体を導入した請求項７５記載の浮島。
【請求項７７】
さらに、接合成長媒体を有し、前記接合成長媒体が泥炭繊維とバインダを有し、前記接合成長媒体を分割部に導入した請求項７０記載の浮島。
【請求項７８】
接合成長媒体、多孔質基材、および浮力導入部を有する浮島。
【請求項７９】
接合成長媒体が、泥炭繊維とバインダからなる請求項７８記載の浮島。
【請求項８０】
バインダが、多孔質および透過性の材料からなる請求項７９記載の浮島。
【請求項８１】
多孔質および透過性の材料が、連続気泡ポリウレタン発泡体である請求項８０記載の浮島。
【請求項８２】
多孔質および透過性の材料が、セルロースである請求項８０記載の浮島。
【請求項８３】
バインダが、非多孔質、非透過性の材料からなる請求項７９記載の浮島。
【請求項８４】
非多孔質、非透過性の材料が、熱可塑性材料である請求項８３記載の浮島。
【請求項８５】
泥炭繊維の割合が十分であり、接合成長媒体を介した水移動媒体として機能できるように泥炭繊維とバインダの割合を設計した請求項７９記載の浮島。
【請求項８６】
接合成長媒体がさらに、組み込み種子を有する請求項７９記載の浮島。
【請求項８７】
接合成長媒体がさらに、上部被覆種子を有する請求項７９記載の浮島。
【請求項８８】
接合成長媒体がさらに、栄養分粒子を有する請求項７９記載の浮島。
【請求項８９】
栄養分粒子が、市販の低開放性植物肥料からなる請求項８８記載の浮島。
【請求項９０】
接合成長媒体がさらに、浮力ペレットを有する請求項７９記載の浮島。
【請求項９１】
浮力ペレットが、独立気泡材料からなる請求項９０記載の浮島。
【請求項９２】
独立気泡材料が、パーライトである請求項９１記載の浮島。
【請求項９３】
独立気泡材料が、ポリスチレンである請求項９１記載の浮島。
【請求項９４】
接合成長媒体がさらに、有用な微生物を有する請求項７９記載の浮島。
【請求項９５】
接合成長媒体がさらに、紫外線遮光剤を有する請求項７９記載の浮島。
【請求項９６】
紫外線遮光剤が、カーボンブラックである請求項９５記載の浮島。
【請求項９７】
多孔質基材が、植物の根によって貫通可能な軽量、多孔質材料からなる請求項７８記載の浮島。
【請求項９８】
浮力導入部が、無毒の浮力材料からなる請求項７８記載の浮島。
【請求項９９】
浮力導入部が、独立気泡発泡体からなる請求項７８記載の浮島。
【請求項１００】
浮力導入部が、ポリウレタンスプレイ発泡体からなる請求項７８記載の浮島。
【請求項１０１】
さらに、毛細管チャネルを有する請求項７８記載の浮島。
【請求項１０２】
毛細管チャネルに、吸い上げ材料を充填した請求項１０１記載の浮島。
【請求項１０３】
吸い上げ材料が、接合成長媒体に水を供給する請求項１０２記載の浮島。
【請求項１０４】
吸い上げ材料が、泥炭を有する請求項１０２記載の浮島。
【請求項１０５】
吸い上げ材料が、ポリエステルフェルトを有する請求項１０２記載の浮島。
【請求項１０６】
毛細管チャネルに、接合成長媒体を充填した請求項１０１記載の浮島。
【請求項１０７】
外面を有し、前記外面に接合成長媒体を取り付けた請求項７８記載の浮島。
【請求項１０８】
不織メッシュ材料の少なくとも二つの層を有する浮島であって、前記層を共に積層し接合した浮島。
【請求項１０９】
さらに、接合成長媒体を有し、不織メッシュ材料の層の間に前記接合成長媒体を配置した請求項１０８記載の浮島。
【請求項１１０】
浮島を形成する方法であって、
（ａ）不織メッシュ材料の屑片の束を取り、
（ｂ）加熱可能な型枠に不織メッシュ材料の屑片の束を配置し、
（ｃ）不織メッシュ材料の融点まで型枠を加熱し、
（ｄ）束の外側の繊維を軟化および溶解可能にし、メッシュ材料の未溶解の中央片の周りに多孔質の「肌」を形成するステップを含む方法。
【請求項１１１】
浮島を形成する方法であって、
（ａ）不織メッシュ材料の屑片の束を取り、
（ｂ）束の外側の繊維に溶剤を塗布し、
（ｃ）外側の繊維を軟化および溶解可能にし、束の残りの周りに多孔質の「肌」を形成するステップを含む方法。
【請求項１１２】
一連の浮島を構成する方法であって、
（ａ）不織メッシュ材料の一つの層を切り抜き、第一切り抜きを形成することによって前記一つの層から材料の一領域を除去し、
（ｂ）第一切り抜きを切り抜き、第二切り抜きを形成することによって前記第一切り抜きから材料の一領域を除去し、
（ｃ）材料を使い切るか所望の数の島が実現されるまで、このプロセスを継続するステップを含む方法。
【請求項１１３】
（ａ）粘性液体状の接合成長媒体を基材上に注ぐかスプレイし、
（ｂ）接合成長媒体を硬化可能にするステップを含む請求項７８記載の浮島の製造方法。
【請求項１１４】
さらに、
（ｃ）基材上に注ぐかスプレイする前に、接合成長媒体に上部被覆種子を追加するステップを含む請求項１１３記載の方法。
【請求項１１５】
さらに、
（ｃ）基材上の注ぐかスプレイした後であるが硬化する前に、接合成長媒体に上部被覆種子を散布するステップを含む請求項１１３記載の方法。
【請求項１１６】
さらに、
（ｃ）部分的にまたは十分に硬化させた後、接合成長媒体に穴を開け、前記穴に種子を挿入することによって前記接合成長媒体内に組み込み種子を設置するステップを含む請求項１１３記載の方法。
【請求項１１７】
さらに、
（ｃ）硬化させた後に、無毒の接着剤を用いて接合成長媒体に上部被覆種子を付着させるステップを含む請求項１１３記載の方法。
【請求項１１８】
（ａ）多孔質基材が複数の層を有し、未硬化の粘性状態の接合成長媒体を基材の各層に注入し、
（ｂ）互いの上に層を積層し、
（ｃ）接合成長媒体を硬化可能にするステップを含む請求項７８記載の浮島の製造方法。
【請求項１１９】
（ａ）多孔質基材が複数の層を有し、互いの上に層を積層し、
（ｂ）未硬化の粘性状態の接合成長媒体を基材の各層の間に注入し、
（ｃ）接合成長媒体を硬化可能にするステップを含む請求項７８記載の浮島の製造方法。
【請求項１２０】
（ａ）多孔質基材が生のポリエステル繊維を有し、混合ホッパ内で生のポリエステル繊維に泥炭繊維を追加し、
（ｂ）生のポリエステル繊維と泥炭繊維の混合物にラテックスバインダを追加し、前記ラテックスバインダが生のポリエステル繊維と泥炭繊維を共に接合するステップを含む請求項７８記載の浮島の製造方法。
【請求項１２１】
複数の浮島を接続する方法であって、前記浮島が不織メッシュ材料からなり、島の間にコネクタを設置するステップを有し、前記コネクタも不織メッシュ材料からなる方法。
【請求項１２２】
コネクタを接合成長媒体で処理して、植物の成長を促進する請求項１２１記載の浮島の製造方法。
【請求項１２３】
炭素隔離方法であって、
（ａ）水域上に浮島を設置し、
（ｂ）大気から二酸化炭素を摂取し、光合成によって植物内の有機炭素に変換する島の植物を成長させるステップを含む方法。
【請求項１２４】
さらに、
（ｃ）それらの通常の成長および死滅サイクル中、島の表面を横方向に広げる植物を選択するステップを含む請求項１２３記載の方法。
【請求項１２５】
さらに、
（ｃ）栄養分が豊富で、酸素が欠乏した海洋領域上に島を配置するステップを含む請求項１２３記載の方法。
【請求項１２６】
さらに、
（ｄ）栄養分が豊富で、酸素が欠乏した海洋領域から水を島上にポンプで汲み上げ、島上の植物が太陽エネルギを用いて、ポンプで汲み上げた水内に栄養分と空気からの二酸化炭素を組み合わせ、植物の質量を生成可能なステップを含む請求項１２５記載の方法。
【請求項１２７】
さらに、
（ｃ）生物学的接着剤を用いて、水内の島の破片、水に浮かび風に吹かれ島に接触する堆積粒子を捕捉し接着することによって、島の表面積を拡大するステップを含む請求項１２３記載の方法。
【請求項１２８】
浮島への浮遊物の追加は浮島にフレキシビリティを付与し、波運動に伴って波動させる請求項１６記載の浮島。
【請求項１２９】
浮遊物は互いに連続的ではなく、浮遊物間には不織メッシュ材料が存在する請求項１６記載の浮島。
【請求項１３０】
浮島への膨張フォーム体の追加は浮島にフレキシビリティを付与し、波運動に伴って波動させる請求項１９記載の浮島。
【請求項１３１】
膨張フォーム体は小塊形態で注入され、前記小塊は互いに連続的ではなく、小塊間には不織メッシュ材料が存在する請求項１９記載の浮島。
【請求項１３２】
層状の浮島であって、その少なくとも１層は透水性の不織メッシュ材料を含んでおり、その不織メッシュ層の１層は浮島の最上層である浮島。